(57)【要約】【課題】好適なセル選択方法及びセル再選択のための測定方法を提供すること。【解決手段】本明細書の一実施例によると、端末のセル再選択方法が提示される。前記セル再選択方法は、サービングセルからセル選択手順のために使われる共通パラメータ及びカテゴリ特定（ｃａｔｅｇｏｒｙ−ｓｐｅｃｉｆｉｃ）パラメータを受信するステップと；前記サービングセル及び隣接セルのうち一つ以上に対する測定を実行するステップと；前記測定結果値がセル選択基準を満たすかどうかを判断するステップと；を含む。ここで、前記端末が前記カテゴリ特定パラメータを使用するように設定された場合、前記測定結果値に前記カテゴリ特定パラメータを反映してセル再選択を評価する。【選択図】図９ｂ
2019047528.tif 000002
【特許請求の範囲】
【請求項１】
セル選択を実行するための方法であって、前記方法は、装置によって実行され、前記方法は、
第１のパラメータおよび第２のパラメータの両方を受信することと、
セル選択手順を実行することと
を含み、
前記セル選択手順を実行することは、
前記受信された第１のパラメータを前記セル選択手順に適用することと、
前記受信された第１のパラメータを適用することによって前記セル選択手順のための基準が満たされない場合に、前記受信された第２のパラメータを前記セル選択手順に適用することと
を含み、
前記受信された第２のパラメータを適用することによって前記セル選択手順のための前記基準が満たされる場合に、前記装置は、自身がセルのカバレッジ内であると考慮し、
前記受信された第２のパラメータは、所定のカテゴリに依存する値を含み、
前記受信された第１のパラメータは、前記セル内で共通であり、前記受信された第２のパラメータは、前記所定のカテゴリで設定された前記装置に専用である、方法。
【請求項２】
前記第１のパラメータおよび前記第２のパラメータは、前記セルからブロードキャストされる、請求項１に記載の方法。
【請求項３】
前記第１のパラメータおよび前記第２のパラメータは、ＳＩＢ（ｓｙｓｔｅｍ  ｉｎｆｏｒｍａｔｉｏｎ  ｂｌｏｃｋ）を介して受信される、請求項２に記載の方法。
【請求項４】
測定を実行することから得られる値が前記セル選択手順のための前記基準を満たすかどうかを決定することをさらに含み、
前記測定を実行することから得られる値は、ＳｒｘｌｅｖまたはＳｑｕａｌで表現され、
前記セル選択のための前記基準がＳｒｘｌｅｖ＞０またはＳｑｕａｌ＞０に対応する場合に、前記第２のパラメータは、前記Ｓｒｘｌｅｖの値または前記Ｓｑｕａｌの値を増加させるために使用される、請求項１に記載の方法。
【請求項５】
セル選択を実行するための装置であって、前記装置は、
第１のパラメータおよび第２のパラメータの両方を受信するように構成されたトランシーバと、
前記トランシーバを制御することによりセル選択手順を実行するように構成されたプロセッサと
を備え、
前記セル選択手順は、
前記受信された第１のパラメータを前記セル選択手順に適用することと、
前記受信された第１のパラメータを適用することによって前記セル選択手順のための基準が満たされない場合に、前記受信された第２のパラメータを前記セル選択手順に適用することと
を含み、
前記受信された第２のパラメータを適用することによって前記セル選択手順のための前記基準が満たされる場合に、前記装置は、自身がセルのカバレッジ内であると考慮し、
前記受信された第２のパラメータは、所定のカテゴリに依存する値を含み、
前記受信された第１のパラメータは、前記セル内で共通であり、前記受信された第２のパラメータは、前記所定のカテゴリで設定された前記装置に専用である、装置。
【発明の詳細な説明】
【技術分野】
【０００１】
本発明は、無線通信に関し、より詳しくは、セル選択方法及びセル再選択のための測定方法に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の向上である３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、３ＧＰＰリリース（ｒｅｌｅａｓｅ）８で紹介されている。３ＧＰＰ  ＬＴＥは、ダウンリンクでＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）を使用し、アップリンクでＳＣ−ＦＤＭＡ（Ｓｉｎｇｌｅ  Ｃａｒｒｉｅｒ−ｆｒｅｑｕｅｎｃｙ  ｄｉｖｉｓｉｏｎ  ｍｕｌｔｉｐｌｅ  ａｃｃｅｓｓ）を使用する。最大４個のアンテナを有するＭＩＭＯ（ｍｕｌｔｉｐｌｅ  ｉｎｐｕｔ  ｍｕｌｔｉｐｌｅ  ｏｕｔｐｕｔ）を採用する。最近、３ＧＰＰ  ＬＴＥの進化である３ＧＰＰ  ＬＴＥ−Ａ（ＬＴＥ−Ａｄｖａｎｃｅｄ）に対する議論が進行中である。
【０００３】
一方、３ＧＰＰシステムにおいて、通信中の端末が他のセルに移動するすることをハンドオーバといい、アイドル状態の端末が他のセルに移動することをセル再選択という。
【０００４】
他方、最近、人間との相互作用（ｈｕｍａｎ  ｉｎｔｅｒａｃｔｉｏｎ）なく、即ち、人間の介入なく装置間または装置とサーバとの間に発生する通信、即ち、ＭＴＣ（Ｍａｃｈｉｎｅ  Ｔｙｐｅ  Ｃｏｍｍｕｎｉｃａｔｉｏｎ）に対する研究が活発に行われている。このように、ＭＴＣは、人間対人間（ｈｕｍａｎ  ｔｏ  ｈｕｍａｎ）通信に比べて低いトラフィック（ｔｒａｆｆｉｃ）を使用することと予測されている。
【０００５】
したがって、ＭＴＣベースの機器は、セルの品質が低くても、一般的な通信機器と違って、前記セルからサービスの提供を受けることができる。それにもかかわらず、既存のセル選択及びセル再選択方式を前記ＭＴＣ機器に適用することは非効率的である。
【発明の概要】
【発明が解決しようとする課題】
【０００６】
本明細書の開示は、セル選択手順及び及びセル再選択手順を改善することを目的とする。
【課題を解決するための手段】
【０００７】
前記のような目的を達成するために本明細書の一実施例によると、端末のセル再選択方法が提示される。前記セル再選択方法は、サービングセルからセル選択手順のために使われる共通パラメータ及びカテゴリ特定（ｃａｔｅｇｏｒｙ−ｓｐｅｃｉｆｉｃ）パラメータを受信するステップと；前記サービングセル及び隣接セルのうち一つ以上に対する測定を実行するステップと；前記測定結果値がセル選択基準を満たすかどうかを判断するステップと；を含む。ここで、前記端末が前記カテゴリ特定パラメータを使用するように設定された場合、端末の測定結果値に前記カテゴリ特定パラメータを反映してセル再選択を評価する。
【０００８】
前記のような目的を達成するために本明細書の一実施例によると、端末のセル再選択のための測定方法が提示される。前記方法は、サービングセルからセル再選択手順のために使われる共通パラメータ及びカテゴリ特定（ｃａｔｅｇｏｒｙ−ｓｐｅｃｉｆｉｃ）パラメータを受信するステップと；前記サービングセルに対する測定を実行するステップと；前記サービングセルに対する測定結果値によって、隣接セルに対する測定実行条件が満たされるかどうかを判断するステップと；を含む。ここで、前記端末が前記カテゴリ特定パラメータを使用するように設定された場合、前記サービングセルに対する測定結果値に前記カテゴリ特定パラメータによる値が合算されることによって、前記隣接セルに対する測定実行条件が満たされる頻度が低下される。
本発明は、例えば以下を提供する：
（項目１）
端末のセル再選択方法であって、
サービングセルからセル選択手順のために使われる共通パラメータ及びカテゴリ特定（ｃａｔｅｇｏｒｙ−ｓｐｅｃｉｆｉｃ）パラメータを受信するステップと；
前記サービングセル及び隣接セルのうち一つ以上に対する測定を実行するステップと；
前記測定結果値がセル選択基準を満たすかどうかを判断するステップと；を含み、
ここで、前記端末が前記カテゴリ特定パラメータを使用するように設定された場合、前記測定結果値に前記カテゴリ特定パラメータを反映してセル再選択を評価することを特徴とするセル選択方法。
（項目２）
前記受信ステップでは、
各々のカテゴリ別にパラメータが受信されることを特徴とする項目１に記載のセル選択方法。
（項目３）
前記カテゴリは、遅延許容度（ｄｅｌａｙ  ｔｏｌｅｒａｎｃｅ）によって分類されることを特徴とする項目２に記載のセル選択方法。
（項目４）
前記サービングセルに対する測定結果値は、ＳｒｘｌｅｖまたはＳｑｕａｌで表現され、前記セル選択基準がＳｒｘｌｅｖ＞０またはＳｑｕａｌ＞０の場合、前記カテゴリ特定パラメータは、Ｓｒｘｌｅｖの値またはＳｑｕａｌの値を増加させることを特徴とする項目１に記載のセル選択方法。
（項目５）
端末のセル再選択のための測定方法であって、
サービングセルからセル再選択手順のために使われる共通パラメータ及びカテゴリ特定（ｃａｔｅｇｏｒｙ−ｓｐｅｃｉｆｉｃ）パラメータを受信するステップと；
前記サービングセルに対する測定を実行するステップと；
前記サービングセルに対する測定結果値によって、隣接セルに対する測定実行条件が満たされるかどうかを判断するステップと；を含み、
ここで、前記端末が前記カテゴリ特定パラメータを使用するように設定された場合、前記サービングセルに対する測定結果値に前記カテゴリ特定パラメータによる値が合算されることによって、前記隣接セルに対する測定実行条件が満たされる頻度が低下されることを特徴とするセル再選択のための測定実行方法。
（項目６）
前記受信ステップでは、
各々のカテゴリ別にパラメータが受信されることを特徴とする項目６に記載のセル再選択のための測定実行方法。
（項目７）
前記カテゴリは、遅延許容度（ｄｅｌａｙ  ｔｏｌｅｒａｎｃｅ）によって分類されることを特徴とする項目６に記載のセル再選択のための測定実行方法。
（項目８）
前記カテゴリ特定パラメータは、
前記サービングセルと異なる周波数上の隣接セルに対する第１の測定実行条件の充足可否で利用される第１のパラメータと、前記サービングセルと同じ周波数上の隣接セルに対する第２の測定実行条件の充足可否で利用される第２のパラメータと、に分類されることを特徴とする項目５に記載のセル再選択のための測定実行方法。
（項目９）
セル再選択を実行する端末であって、
サービングセルからセル選択手順のために使われる共通パラメータ及びカテゴリ特定（ｃａｔｅｇｏｒｙ−ｓｐｅｃｉｆｉｃ）パラメータを受信する送受信部と；
前記送受信部を制御して前記サービングセルに対する測定を実行し、前記サービングセルに対する測定結果値がセル選択基準を満たすかどうかを判断するプロセッサと；を含み、
ここで、前記端末が前記カテゴリ特定パラメータを使用するように設定された場合、前記プロセッサは、前記カテゴリ特定パラメータの値ほど前記サービングセルに対する測定結果値を増加させることによって、前記セル選択基準が満たされる頻度を増加させることを特徴とする端末。
（項目１０）
セル再選択のための測定を実行する端末であって、
サービングセルからセル再選択手順のために使われる共通パラメータ及びカテゴリ特定（ｃａｔｅｇｏｒｙ−ｓｐｅｃｉｆｉｃ）パラメータを受信する送受信部と；及び、
前記送受信部を制御して前記サービングセルに対する測定を実行し、前記サービングセルに対する測定結果値によって、隣接セルに対する測定実行条件が満たされるかどうかを判断する
ここで、前記端末が前記カテゴリ特定パラメータを使用するように設定された場合、前記プロセッサは、前記サービングセルに対する測定結果値に前記カテゴリ特定パラメータによる値を合算することによって、前記隣接セルに対する測定実行条件が満たされる頻度が低下されるようにすることを特徴とする端末。
【発明の効果】
【０００９】
本明細書の一開示によると、従来技術に比べて、セル選択及び再選択の回数が減少されるに応じて、既にキャンプオン（ｃａｍｐ−ｏｎ）されているセルに長時間とどまることがある。また、本明細書の一開示によると、セル選択及び再選択のための測定回数が減少されることによって、バッテリ消耗を防止することができる。また、本明細書の一開示によると、ＣＳＦＢ（ｃｉｒｃｕｉｔ  ｓｗｉｔｃｈｉｎｇ  ｆａｌｌｂａｃｋ）の性能が向上し、ひいては、呼び（ｃａｌｌ）成功比率が高まる。また、呼び連結速度が増大する。
【図面の簡単な説明】
【００１０】
【図１】本発明が適用される無線通信システムを示す。
【００１１】
【図２】ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示すブロック図である。
【００１２】
【図３】制御平面（ｃｏｎｔｒｏｌ  ｐｌａｎｅ）に対する無線プロトコル構造を示すブロック図である。
【００１３】
【図４】ＲＲＣアイドル（ＲＲＣ  ｉｄｌｅ）状態で状態転移過程を示す。
【００１４】
【図５】アイドル状態の端末がセル選択を実行する過程を示す流れ図である。
【００１５】
【図６】図５に示すセル再選択過程を詳細に示す流れ図である。
【００１６】
【図７】Ｉｎｔｅｒ−ＲＡＴセル再選択及びＩｎｔｅｒ−ｆｒｅｑｕｅｎｃｙセル再選択を実行する過程を示す例示的な流れ図である。
【００１７】
【図８】ＭＴＣ（Ｍａｃｈｉｎｅ  Ｔｙｐｅ  ｃｏｍｍｕｎｉｃａｔｉｏｎ）通信の一例を示す。
【００１８】
【図９ａ】本明細書の一開示による方案を示す例示図である。
【図９ｂ】本明細書の一開示による方案を示す例示図である。
【図９ｃ】本明細書の一開示による方案を示す例示図である。
【００１９】
【図１０ａ】図１０ａは、従来技術による動作を示し、図１０ｂは、一実施例の適用例を示す。
【図１０ｂ】図１０ａは、従来技術による動作を示し、図１０ｂは、一実施例の適用例を示す。
【００２０】
【図１１ａ】図１１ａは、従来技術による他の動作を示し、図１１ｂは、一実施例の適用例を示す。
【図１１ｂ】図１１ａは、従来技術による他の動作を示し、図１１ｂは、一実施例の適用例を示す。
【００２１】
【図１２】本発明の実施例が具現される無線通信システムを示すブロック図である。
【発明を実施するための形態】
【００２２】
本明細書で使われる技術的な用語は、単に特定な実施例を説明するために使われたものであり、本発明を限定するものではないことに留意しなければならない。また、本明細書で使われる技術的な用語は、本明細書で特別に他の意味で定義されない限り、本発明が属する技術分野において、通常の知識を有する者により一般的に理解される意味で解釈されなければならず、過度に包括的な意味でまたは過度に縮小された意味で解釈されてはならない。また、本明細書で使われる技術的な用語が本発明の思想を正確に表現することができない技術的な用語である場合、当業者が正しく理解することができる技術的な用語に変えて理解しなければならない。また、本発明で使われる一般的な用語は、辞書の定義によってまたは前後文脈によって解釈されなければならず、過度に縮小された意味で解釈されてはならない。
【００２３】
また、本明細書で使われる単数の表現は、文脈上、明白に異なる意味ではない限り、複数の表現を含む。本出願において、“構成される”または“含む”などの用語は、明細書上に記載された複数の構成要素、または複数のステップを必ず全部含むと解釈されてはならず、そのうち一部構成要素または一部ステップは含まない場合もあり、または追加的な構成要素またはステップをさらに含む場合もあると解釈されなければならない。
【００２４】
また、本明細書で使われる第１及び第２などのように序数を含む用語は、多様な構成要素の説明に使われることができるが、前記構成要素は、前記用語により限定されてはならない。前記用語は、一つの構成要素を他の構成要素から区別する目的としてのみ使われる。例えば、本発明の権利範囲を外れない限り、第１の構成要素は第２の構成要素と命名することができ、同様に、第２の構成要素も第１の構成要素と命名することができる。
【００２５】
一構成要素が他の構成要素に“連結されている”または“接続されている”と言及された場合、その他の構成要素に直接的に連結されており、または接続されていることもあるが、中間に他の構成要素が存在することもある。それに対し、一構成要素が他の構成要素に“直接連結されている”または“直接接続されている”と言及された場合、中間に他の構成要素が存在しないと理解しなければならない。
【００２６】
以下、添付図面を参照して本発明による好ましい実施例を詳細に説明し、図面符号に関係なく同じまたは類似の構成要素は、同じ参照番号を付与し、これに対する重複説明は省略する。また、本発明を説明するにあたって、関連した公知技術に対する具体的な説明が本発明の要旨を不明にすると判断される場合、その詳細な説明を省略する。また、添付図面は、本発明の思想を容易に理解することができるようにするためのものであり、添付図面により本発明の思想が制限されると解釈されてはならないことに留意しなければならない。本発明の思想は、添付図面外に全ての変更、均等物乃至代替物にまで拡張されると解釈されなければならない。
【００２７】
以下、図面には端末が図示されているが、前記端末は、ＵＥ（Ｕｓｅｒ  Ｅｑｕｉｐｍｅｎｔ）、ＭＥ（Ｍｏｂｉｌｅ  Ｅｑｕｉｐｍｅｎｔ）、ＭＳ（Ｍｏｂｉｌｅ  Ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、無線機器（Ｗｉｒｅｌｅｓｓ  Ｄｅｖｉｃｅ）、携帯機器（Ｈａｎｄｈｅｌｄ  Ｄｅｖｉｃｅ）、ＡＴ（Ａｃｃｅｓｓ  Ｔｅｒｍｉｎａｌ）で呼ばれることもある。また、前記端末は、携帯電話、ＰＤＡ、スマートフォン（Ｓｍａｒｔ  Ｐｈｏｎｅ）、無線モデム（Ｗｉｒｅｌｅｓｓ  Ｍｏｄｅｍ）、ノートブックなどのように通信機能を揃えた携帯可能な機器であり、またはＰＣ、車両搭載装置のように携帯不可能な機器である。
【００２８】
図１は、本発明が適用される無線通信システムを示す。
【００２９】
前記無線通信システムは、進化したＵＭＴＳ地上無線アクセスネットワーク(Ｅ−ＵＴＲＡＮ)またはＬＴＥ/ＬＴＥ−Ａシステムとも呼ばれる。
【００３０】
前記Ｅ−ＵＴＲＡＮは、制御平面及びユーザ平面をユーザ装備(ＵＥ)１０に提供する最小限一つの基地局(ＢＳ)２０を含む。前記ＵＥ１０は、固定されてもよいし、移動してもよく、移動局(ＭＳ)、ユーザ端末(ＵＴ)、加入者基地局(ＳＳ)、移動端末(ＭＴ)、無線装備などの他の用語で呼ばれることもある。前記ＢＳ２０は、一般的に前記ＵＥ１０と通信する固定された基地局であり、進化したｎｏｄｅ−Ｂ(ｅＮｏｄｅＢ)、基地局トランシーバシステム(ＢＴＳ)、アクセスポイントなどのような他の用語で呼ばれることもある。
【００３１】
前記ＢＳ２０は、Ｘ２インターフェースにより相互接続される。また、前記ＢＳ２０は、Ｓ１インターフェースにより進化したパケットコア(ＥＰＣ)３０に相互接続され、より特定的には、Ｓ１−ＭＭＥを介して移動性管理エンティティ(ＭＭＥ)に接続され、Ｓ１−Ｕを介してサービス提供ゲートウェイ(Ｓ−ＧＷ)に接続される。
【００３２】
前記ＥＰＣ３０は、ＭＭＥ、Ｓ−ＧＷ、及びパケットデータネットワークゲートウェイ(Ｐ−ＧＷ)を含む。前記ＭＭＥは、ＵＥの接続情報またはＵＥの容量情報を有しており、このような情報は、一般的にＵＥの移動性管理のために使われる。前記Ｓ−ＧＷは、Ｅ−ＵＴＲＡＮを終端点として有するゲートウェイである。前記Ｐ−ＧＷは、ＰＤＮを終端点として有するゲートウェイである。
【００３３】
前記ＵＥと前記ネットワークとの間の無線インターフェースプロトコルのレイヤは、通信システムでよく知られた開放型システム相互接続(ＯＳＩ)モデルの下位３個のレイヤに基づいて第１のレイヤ(Ｌ１)、第２のレイヤ(Ｌ２)及び第３のレイヤ(Ｌ３)に分類されることができる。このうち、第１のレイヤに属する物理(ＰＨＹ)レイヤが物理チャネルを使用して情報転送サービスを提供し、第３のレイヤに属する無線リソース制御(ＲＲＣ)レイヤが前記ＵＥと前記ネットワークとの間の無線リソースを制御するように作動する。そのために、前記ＲＲＣレイヤは、前記ＵＥと前記ＢＳとの間でＲＲＣメッセージを交換する。
【００３４】
図２は、ユーザ平面に対する無線プロトコル構造を示す。図３は、制御平面に対する無線プロトコル構造を示す。
【００３５】
前記ユーザ平面は、ユーザデータ送信のためのプロトコルスタックである。前記制御平面は、制御信号送信のためのプロトコルスタックである。
【００３６】
図２及び図３を参照すると、ＰＨＹレイヤは、物理チャネルを介して情報転送サービスを有する上位レイヤを提供する。前記ＰＨＹレイヤは、トランスポートチャネルを介して前記ＰＨＹレイヤの上位レイヤである媒体アクセス制御(ＭＡＣ)レイヤに接続される。データは、前記トランスポートチャネルを介して前記ＭＡＣレイヤと前記ＰＨＹレイヤとの間で送信される。前記トランスポートチャネルは、データが無線インターフェースを介してどのようにどのような特性を有して送信されるかによって分類される。
【００３７】
互いに異なるＰＨＹレイヤ、即ち、送信機のＰＨＹレイヤと受信機のＰＨＹレイヤとの間で、データは、物理チャネルを介して送信される。前記物理チャネルは、直交周波数分割多重化(ＯＦＤＭ)体系を使用して変調されることができ、無線リソースとして時間と周波数を活用することができる。
【００３８】
前記ＭＡＣレイヤの機能には、論理チャネルとトランスポートチャネルとの間のマッピング及び論理チャネルに属するＭＡＣサービスデータユニット(ＳＤＵ)のトランスポートチャネル上の物理チャネルに提供されるトランスポートチャネル上での多重化/多重化解除が含まれる。前記ＭＡＣレイヤは、前記論理チャネルを介して無線リンク制御(ｒａｄｉｏ  ｌｉｎｋ  ｃｏｎｔｒｏｌ：ＲＬＣ)レイヤにサービスを提供する。
【００３９】
前記ＲＬＣレイヤの機能には、ＲＬＣ  ＳＤＵ接合(ｃｏｎｃａｔｅｎａｔｉｏｎ)、分割(ｓｅｇｍｅｎｔａｔｉｏｎ)、及び再組み立てが含まれる。無線ベアラ(ＲＢ)により要求される多様なサービス質(ＱｏＳ)を保障するために、前記ＲＬＣレイヤは、３個の作動モード、即ち、透明モード(ｔｒａｎｓｐａｒｅｎｔ  ｍｏｄｅ：ＴＭ)、非認識モード(ｕｎａｃｋｎｏｗｌｅｄｇｅｄ  ｍｏｄｅ：ＵＭ)、及び認識モード(ａｃｋｎｏｗｌｅｄｇｅｄ  ｍｏｄｅ：ＡＭ)を提供する。前記ＡＭ  ＲＬＣは、自動反復要求(ａｕｔｏｍａｔｉｃ  ｒｅｐｅａｔ  ｒｅｑｕｅｓｔ：ＡＲＱ)を使用してエラー訂正を提供する。
【００４０】
ユーザ平面内のパケットデータ収束プロトコル(ｐａｃｋｅｔ  ｄａｔａ  ｃｏｎｖｅｒｇｅｎｃｅ  ｐｒｏｔｏｃｏｌ：ＰＤＣＰ)レイヤの機能には、ユーザデータ伝達、ヘッダ圧縮及び解読が含まれる。制御平面内のＰＤＣＰレイヤの機能には、制御平面データ伝達及び解読/完全性保護が含まれる。
【００４１】
無線リソース制御(ＲＲＣ)レイヤは、制御平面上でのみ定義される。前記ＲＲＣレイヤは、無線ベアラ(ＲＢ)の構成、再構成及び公表と関連して前記論理チャネル、トランスポートチャネル及び物理チャネルを制御する機能をする。ＲＢは、前記ＵＥ及び前記ネットワークとの間でのデータ伝達に対する前記第１のレイヤ(即ち、ＰＨＹレイヤ)及び前記第２のレイヤ(即ち、前記ＭＡＣレイヤ、前記ＲＬＣレイヤ及び前記ＰＤＣＰレイヤ)により提供される論理経路である。
【００４２】
ＲＢの設定は、特定サービスを提供するための無線プロトコルレイヤとチャネル特性を特定する過程及びそれぞれの詳細なパラメータと作動を決定するための過程を意味する。前記ＲＢは、二つの類型、即ち、信号送信ＲＢ(ＳＲＢ)及びデータＲＢ(ＤＲＢ)に分類されることができる。前記ＳＲＢは、制御平面内でＲＲＣメッセージを送信する経路として使われる。前記ＤＲＢは、ユーザ平面内でユーザデータを送信する経路として使われる。
【００４３】
ＵＥのＲＲＣレイヤとネットワークのＲＲＣレイヤとの間でＲＲＣ接続が確立されると、前記ＵＥは、ＲＲＣ接続状態(ＲＲＣ接続モードともいう)になり、そうでない場合、前記ＵＥは、ＲＲＣアイドル状態(ＲＲＣアイドルモードともいう)になる。
【００４４】
データは、ダウンリンクトランスポートチャネルを介してネットワークからＵＥに送信される。ダウンリンクトランスポートチャネルの例には、ステム情報を送信するための放送チャネル(ＢＣＨ)及びユーザトラフィックや制御メッセージを送信するためのダウンリンク−共有チャネル(ＳＣＨ)が含まれる。前記ダウンリンクマルチキャストまたは放送サービスのユーザサービスまたは制御メッセージは、ダウンリンク−ＳＣＨまたは追加的なダウンリンクマルチキャストチャネル(ＭＣＨ)上で送信されることができる。データは、アップリンクトランスポートチャネルを介してＵＥからネットワークに送信される。アップリンクトランスポートチャネルの例には、初期制御メッセージを送信するためのランダムアクセスチャネル(ＲＡＣＨ)及びユーザトラフィックや制御メッセージを送信するためのアップリンクＳＣＨが含まれる。
【００４５】
トランスポートチャネルの上位のチャネルに属し、トランスポートチャネル上にマッピングされた論理チャネルの例には、放送チャネル(ＢＣＣＨ)、ページング制御チャネル(ＰＣＣＨ)、共通制御チャネル(ＣＣＣＨ)、マルチキャスト制御チャネル(ＭＣＣＨ)、マルチキャストトラフィックチャネル(ＭＴＣＨ)などが含まれる。
【００４６】
前記物理チャネルには、時間ドメインでの多様なＯＦＤＭシンボルと周波数ドメインでの多様な下位搬送波が含まれる。一つのサブフレームは、時間ドメイン内の多数のＯＦＤＭシンボルを含む。リソースブロックは、リソース割当単位であり、多数のＯＦＤＭシンボルと多数の下位搬送波を含む。また、各サブフレームは、物理ダウンリンク制御チャネル(ＰＤＣＣＨ)、即ち、Ｌ１/Ｌ２制御チャネルのサブフレームに該当する特定のＯＦＤＭシンボル(例えば、第１のＯＦＤＭシンボル)の特定の下位搬送波を使用することができる。送信時間間隔(ｔｒａｎｓｍｉｓｓｉｏｎ  ｔｉｍｅ  ｉｎｔｅｒｖａｌ：ＴＴＩ)は、下位フレーム送信の時間単位である。
【００４７】
以下、端末のＲＲＣ状態（ＲＲＣ  ｓｔａｔｅ）とＲＲＣ接続方法に対して詳述する。
【００４８】
ＲＲＣ状態とは、端末のＲＲＣ階層がＥ−ＵＴＲＡＮのＲＲＣ階層と論理的接続（ｌｏｇｉｃａｌ  ｃｏｎｎｅｃｔｉｏｎ）されているかどうかを意味し、接続されている場合をＲＲＣ接続状態（ＲＲＣ  ｃｏｎｎｅｃｔｅｄ  ｓｔａｔｅ）といい、接続されていない場合をＲＲＣアイドル状態（ＲＲＣ  ｉｄｌｅ  ｓｔａｔｅ）という。ＲＲＣ接続状態の端末は、ＲＲＣ接続が存在するため、Ｅ−ＵＴＲＡＮは、該当端末の存在をセル単位で把握することができ、したがって、端末を効果的に制御することができる。それに対し、ＲＲＣアイドル状態の端末は、Ｅ−ＵＴＲＡＮが把握することができず、セルより大きい地域単位であるトラッキング区域（Ｔｒａｃｋｉｎｇ  Ａｒｅａ）単位でＣＮ（ｃｏｒｅ  ｎｅｔｗｒｏｋ）が管理する。即ち、ＲＲＣアイドル状態の端末は、大きい地域単位に存在可否のみが把握され、音声やデータのような通常の移動通信サービスを受けるためにはＲＲＣ接続状態に移動しなければならない。
【００４９】
ユーザが端末の電源をオンにした時、端末は、まず、適切なセルを探索した後、該当セルでＲＲＣアイドル状態にとどまる。ＲＲＣアイドル状態の端末は、ＲＲＣ接続を確立する必要がある時になって初めてＲＲＣ接続過程（ＲＲＣ  ｃｏｎｎｅｃｔｉｏｎ  ｐｒｏｃｅｄｕｒｅ）を介してＥ−ＵＴＲＡＮとＲＲＣ接続を確立し、ＲＲＣ接続状態に移動する。ＲＲＣアイドル状態の端末がＲＲＣ接続を確立する必要がある場合は多様であり、例えば、ユーザの通話試みなどの理由で上りデータ送信が必要な場合、またはＥ−ＵＴＲＡＮからページング（ｐａｇｉｎｇ）メッセージを受信した場合、これに対する応答メッセージ送信などを挙げることができる。
【００５０】
ＲＲＣ階層の上位に位置するＮＡＳ（Ｎｏｎ−Ａｃｃｅｓｓ  Ｓｔｒａｔｕｍ）階層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を遂行する。
【００５１】
ＮＡＳ階層で端末の移動性を管理するために、ＥＭＭ−ＲＥＧＩＳＴＥＲＥＤ（ＥＰＳ  Ｍｏｂｉｌｉｔｙ  Ｍａｎａｇｅｍｅｎｔ−ＲＥＧＩＳＴＥＲＥＤ）及びＥＭＭ−ＤＥＲＥＧＩＳＴＥＲＥＤの二つの状態が定義されており、この二つの状態は、端末及びＭＭＥに適用される。初期端末は、ＥＭＭ−ＤＥＲＥＧＩＳＴＥＲＥＤ状態であり、この端末がネットワークに接続するために初期連結（Ｉｎｉｔｉａｌ  Ａｔｔａｃｈ）手順を介して該当ネットワークに登録する過程を実行する。前記連結（Ａｔｔａｃｈ）手順が成功的に遂行されると、端末及びＭＭＥは、ＥＭＭ−ＲＥＧＩＳＴＥＲＥＤ状態になる。
【００５２】
端末とＥＰＣとの間のシグナリング接続（ｓｉｇｎａｌｉｎｇ  ｃｏｎｎｅｃｔｉｏｎ）を管理するために、ＥＣＭ（ＥＰＳ  Ｃｏｎｎｅｃｔｉｏｎ  Ｍａｎａｇｅｍｅｎｔ）−ＩＤＬＥ状態及びＥＣＭ−ＣＯＮＮＥＣＴＥＤ状態の二つの状態が定義されており、この二つの状態は、端末及びＭＭＥに適用される。ＥＣＭ−ＩＤＬＥ状態の端末がＥ−ＵＴＲＡＮとＲＲＣ接続を確立すると、該当端末は、ＥＣＭ−ＣＯＮＮＥＣＴＥＤ状態になる。ＥＣＭ−ＩＤＬＥ状態のＭＭＥは、Ｅ−ＵＴＲＡＮとＳ１接続（Ｓ１  ｃｏｎｎｅｃｔｉｏｎ）を確立すると、ＥＣＭ−ＣＯＮＮＥＣＴＥＤ状態になる。端末がＥＣＭ−ＩＤＬＥ状態にある時、Ｅ−ＵＴＲＡＮは、端末のコンテキスト（ｃｏｎｔｅｘｔ）情報を有していない。したがって、ＥＣＭ−ＩＤＬＥ状態の端末は、ネットワークの命令を受ける必要なく、セル選択（ｃｅｌｌ  ｓｅｌｅｃｔｉｏｎ）手順またはセル再選択（ｒｅｓｅｌｅｃｔｉｏｎ）手順のような端末ベースの移動性関連手順を実行する。ここで、セル選択手順とは、端末がネットワークサービスにアクセスするためにセルを選択することを意味する。そして、セル再選択手順とは、サービングセルに設定されることができる最高のセルを探すことを意味する。
【００５３】
それに対し、端末がＥＣＭ−ＣＯＮＮＥＣＴＥＤ状態にある時、端末の移動性は、ネットワークの命令により管理される。ＥＣＭ−ＩＤＬＥ状態で端末の位置が、ネットワークが知っている位置と異なる場合、端末は、トラッキング区域更新（Ｔｒａｃｋｉｎｇ  Ａｒｅａ  Ｕｐｄａｔｅ）手順を介してネットワークに端末の該当位置を知らせる。
【００５４】
以下、システム情報（Ｓｙｓｔｅｍ  Ｉｎｆｏｒｍａｔｉｏｎ）に対する説明である。
【００５５】
システム情報は、端末が基地局に接続するために知るべき必須情報を含む。したがって、端末は、基地局に接続する前にシステム情報を全て受信しているべきであり、また、常に最新のシステム情報を有しているべきである。また、前記システム情報は、一セル内の全ての端末が知っているべき情報であるため、基地局は、周期的に前記システム情報を送信する。
【００５６】
３ＧＰＰ  ＴＳ  ３６．３３１  Ｖ８．７．０（２００９−０９）“Ｒａｄｉｏ  Ｒｅｓｏｕｒｃｅ  Ｃｏｎｔｒｏｌ（ＲＲＣ）；Ｐｒｏｔｏｃｏｌ  ｓｐｅｃｉｆｉｃａｔｉｏｎ（Ｒｅｌｅａｓｅ  ８）”の５．２．２節によると、前記システム情報は、ＭＩＢ（Ｍａｓｔｅｒ  Ｉｎｆｏｒｍａｔｉｏｎ  Ｂｌｏｃｋ）、ＳＢ（Ｓｃｈｅｄｕｌｉｎｇ  Ｂｌｏｃｋ）、ＳＩＢ（Ｓｙｓｔｅｍ  Ｉｎｆｏｒｍａｔｉｏｎ  Ｂｌｏｃｋ）に分けられる。ＭＩＢは、端末が該当セルの物理的な構成、例えば、帯域幅（Ｂａｎｄｗｉｄｔｈ）のようなものを知ることができるようにする。ＳＢは、ＳＩＢの送信情報、例えば、送信周期などを知らせる。ＳＩＢは、互いに関連のあるシステム情報の集合体である。例えば、あるＳＩＢは、隣接セルの情報のみを含み、あるＳＩＢは、端末が使用するアップリンク無線チャネルの情報のみを含む。
【００５７】
一般的に、ネットワークが端末に提供するサービスは、下記のように三つのタイプに区分することができる。また、どのようなサービスの提供を受けることができるかによって、端末は、セルのタイプも異なるように認識する。以下、サービスタイプを叙述して、その次に、セルのタイプを叙述する。
【００５８】
１）制限的サービス（Ｌｉｍｉｔｅｄ  ｓｅｒｖｉｃｅ）：このサービスは、緊急呼び（Ｅｍｅｒｇｅｎｃｙ  ｃａｌｌ）及び災害警報システム（Ｅａｒｔｈｑｕａｋｅ  ａｎｄ  Ｔｓｕｎａｍｉ  Ｗａｒｎｉｎｇ  Ｓｙｓｔｅｍ；ＥＴＷＳ）を提供し、受け入れ可能なセル（ａｃｃｅｐｔａｂｌｅ  ｃｅｌｌ）で提供することができる。
【００５９】
２）正規サービス（Ｎｏｒｍａｌ  ｓｅｒｖｉｃｅ）：このサービスは、一般的な用途の汎用サービス（ｐｕｂｌｉｃ  ｕｓｅ）を意味し、正規セル（ｓｕｉｔａｂｌｅ  ｏｒ  ｎｏｒｍａｌ  ｃｅｌｌ）で提供することができる。
【００６０】
３）事業者サービス（Ｏｐｅｒａｔｏｒ  ｓｅｒｖｉｃｅ）：このサービスは、通信ネットワーク事業者のためのサービスを意味し、このセルは、通信ネットワーク事業者のみが使用することができ、一般ユーザは使用することができない。
【００６１】
セルが提供するサービスタイプと関連し、セルのタイプは、下記のように区分されることができる。
【００６２】
１）受け入れ可能なセル（Ａｃｃｅｐｔａｂｌｅ  ｃｅｌｌ）：端末が制限された（Ｌｉｍｉｔｅｄ）サービスの提供を受けることができるセル。このセルは、該当端末立場で、禁止（ｂａｒｒｅｄ）されておらず、端末のセル選択基準を満たすセルである。
【００６３】
２）正規セル（Ｓｕｉｔａｂｌｅ  ｃｅｌｌ）：端末が正規サービスの提供を受けることができるセル。このセルは、受け入れ可能なセルの条件を満たし、同時に追加条件を満たす。追加的な条件として、このセルは、該当端末が接続できるＰＬＭＮ（Ｐｕｂｌｉｃ  Ｌａｎｄ  Ｍｏｂｉｌｅ  Ｎｅｔｗｏｒｋ）所属でなければならず、端末のトラッキング区域（Ｔｒａｃｋｉｎｇ  Ａｒｅａ）更新手順の実行が禁止されないセルでなければならない。該当セルがＣＳＧセルの場合、端末がこのセルにＣＳＧメンバとして接続可能なセルでなければならない。
【００６４】
３）禁止されたセル（Ｂａｒｒｅｄ  ｃｅｌｌ）：セルがシステム情報を介して禁止されたセルであるという情報をブロードキャストするセルである。
【００６５】
４）予約されたセル（Ｒｅｓｅｒｖｅｄ  ｃｅｌｌ）：セルがシステム情報を介して予約されたセルであるという情報をブロードキャストするセルである。
【００６６】
以下、測定（ｍｅａｓｕｒｅｍｅｎｔ）及び測定報告（ｍｅａｓｕｒｅｍｅｎｔ  ｒｅｐｏｒｔ）に対して記述する。
【００６７】
移動通信システムにおいて、端末の移動性（ｍｏｂｉｌｉｔｙ）サポートは、必須である。したがって、端末は、現在サービスを提供するサービングセル（ｓｅｒｖｉｎｇ  ｃｅｌｌ）に対する品質及び隣接セルに対する品質を持続的に測定する。端末は、測定結果を適切な時間にネットワークに報告し、ネットワークは、ハンドオーバなどを介して端末に最適の移動性を提供する。
【００６８】
端末は、移動性サポートの目的外に、事業者がネットワークを運営するのに有用な情報を提供するために、ネットワークが設定する特定な目的の測定を実行し、その測定結果をネットワークに報告することができる。例えば、端末は、ネットワークが定めた特定セルのブロードキャスト情報を受信する。端末は、前記特定セルのセル識別子（Ｃｅｌｌ  Ｉｄｅｎｔｉｔｙ）（これを広域（Ｇｌｏｂａｌ）セル識別子ともいう）、前記特定セルが属する位置識別情報（例えば、Ｔｒａｃｋｉｎｇ  Ａｒｅａ  Ｃｏｄｅ）及び/またはその他のセル情報（例えば、ＣＳＧ（Ｃｌｏｓｅｄ  Ｓｕｂｓｃｒｉｂｅｒ  Ｇｒｏｕｐ）セルのメンバかどうか）をサービングセルに報告することができる。
【００６９】
移動中の端末は、特定な地域の品質が非常に悪いということを測定を介して確認した場合、品質が悪いセルに対する位置情報及び測定結果をネットワークに報告することができる。ネットワークは、ネックワークの運営をサポートする端末の測定結果の報告に基づいてネットワークの最適化を試みることができる。
【００７０】
１人移動通信システムにおいて、周波数再使用（Ｆｒｅｑｕｅｎｃｙ  ｒｅｕｓｅ  ｆａｃｔｏｒ）は、移動性がほぼ同じ周波数バンドにある互いに異なるセル間に行われる。したがって、端末の移動性をよく保障するためには、端末は、サービングセルの中心周波数と同じ中心周波数を有する隣接セルの品質及びセル情報をよく測定しなければならない。このようにサービングセルの中心周波数と同じ中心周波数を有するセルに対する測定をセル内測定（ｉｎｔｒａ−ｆｒｅｑｕｅｎｃｙ  ｍｅａｓｕｒｅｍｅｎｔ）という。端末は、セル内測定を実行することで、測定結果をネットワークに適切な時間に報告し、該当する測定結果の目的が達成されるようにする。
【００７１】
移動通信事業者は、複数の周波数バンドを使用してネットワークを運用することもできる。複数の周波数バンドを介して通信システムのサービスが提供される場合、端末に最適の移動性を保障するためには、端末は、サービングセルの中心周波数と異なる中心周波数を有する隣接セルの品質及びセル情報をよく測定しなければならない。このように、サービングセルの中心周波数と異なる中心周波数を有するセルに対する測定をセル間測定（ｉｎｔｅｒ−ｆｒｅｑｕｅｎｃｙ  ｍｅａｓｕｒｅｍｅｎｔ）という。端末は、セル間測定を実行することで、測定結果をネットワークに適切な時間に報告しなければならない。
【００７２】
端末が異種（ｈｅｔｅｒｏｇｅｎｅｏｕｓ）ネットワークに対する測定をサポートする場合、基地局設定により異種ネックワークのセルに対する測定をすることもできる。このような、異種ネットワークに対する測定をｉｎｔｅｒ−ＲＡＴ（Ｒａｄｉｏ  Ａｃｃｅｓｓ  Ｔｅｃｈｎｏｌｏｇｙ）測定という。例えば、ＲＡＴは、３ＧＰＰ標準規格に従うＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）及びＧＥＲＡＮ（ＧＳＭ（登録商標）  ＥＤＧＥ  Ｒａｄｉｏ  Ａｃｃｅｓｓ  Ｎｅｔｗｏｒｋ）を含むことができ、３ＧＰＰ２標準規格に従うＣＤＭＡ２０００システムも含むことができる。
【００７３】
以下、３ＧＰＰ  ＴＳ  ３６．３０４  Ｖ８．８．０（２００９−１２）“Ｕｓｅｒ  Ｅｑｕｉｐｍｅｎｔ（ＵＥ）ｐｒｏｃｅｄｕｒｅｓ  ｉｎ  ｉｄｌｅ  ｍｏｄｅ（Ｒｅｌｅａｓｅ  ８）”を参照し、端末がセルを選択する手順に対して詳細に説明する。
【００７４】
図４は、ＲＲＣアイドル（ＲＲＣ  ｉｄｌｅ）状態で状態転移過程を示す。
【００７５】
図示したように、ＰＬＭＮが選択されるたびに、番号１で表示された部分から開始され、セル選択手順が実行される。ここで、セル選択（または、セル再選択）のために、ＵＥは、測定手順を実行することができる。
【００７６】
前記ＵＥは、アイドルモードでの測定とセル選択基準に基づいて適当なセルを選択することができる。セル選択手順を速く実行するために、多数のＲＡＴに対する格納されたセル情報が利用されることができる。
【００７７】
ＵＥが適当なセルに正常にキャンプオン（ｃａｍｐ−ｏｎ）する場合、ＵＥは、セル再選択基準によって、より良いセルを周期的に検索することができる。もし、より良いセルが発見されると、ＵＥは、該当セルを再選択してキャンプオンすることができる。
【００７８】
一方、該当セルにキャンプオンした後、ＲＲＣ接続モードに進入し、該当セルからシステム情報などを取得した後、ＲＲＣアイドル状態に移動する。このようにＲＲＣ接続モード状態を外れてＲＲＣアイドル状態に移動すると、ＵＥは、セル選択手順を再び実行する。
【００７９】
以下、セル選択手順に対して詳細に説明する。
【００８０】
図５は、アイドル状態の端末がセル選択を実行する過程を示す流れ図である。
【００８１】
図５は、電源をオンにした端末がセル選択過程を経てネットワークに登録し、その後、必要な場合、セル再選択をする手順を示す。
【００８２】
図５を参照すると、端末は、自分がサービスを受けようとするネットワークであるＰＬＭＮ（ｐｕｂｌｉｃ  ｌａｎｄ  ｍｏｂｉｌｅ  ｎｅｔｗｏｒｋ）と通信するためのラジオアクセス技術（ｒａｄｉｏ  ａｃｃｅｓｓ  ｔｅｃｈｎｏｌｏｇｙ；ＲＡＴ）を選択する（Ｓ４１０）。ＰＬＭＮ及びＲＡＴに対する情報は、端末のユーザが選択することもでき、ＵＳＩＭ（ｕｎｉｖｅｒｓａｌ  ｓｕｂｓｃｒｉｂｅｒ  ｉｄｅｎｔｉｔｙ  ｍｏｄｕｌｅ）に格納されているものを使用することもできる。
【００８３】
端末は、測定した基地局と信号強度や品質が特定な値より大きいセルの中から、最も大きい値を有するセルを選択する（Ｃｅｌｌ  Ｓｅｌｅｃｔｉｏｎ）（Ｓ４２０）。これは電源をオンにした端末がセル選択を実行することであり、初期セル選択（ｉｎｉｔｉａｌ  ｃｅｌｌ  ｓｅｌｅｃｔｉｏｎ）という。セル選択手順に対し、以後に詳述する。セル選択以後の端末は、基地局が周期的に送るシステム情報を受信する。
【００８４】
前記セル選択過程で前記端末が使用するセル選択基準のパラメータは、以下の数式１の通りである。
【００８５】
【数１】
2019047528.tif 000003
【００８６】
ここで、ＳｒｘｌｅｖとＳｑｕａｌは、以下の数式のように定義される。
【００８７】
【数２】
2019047528.tif 000004
【００８８】
前記Ｓｒｘｌｅｖ値は、ＬＴＥシステムでは基準信号受信パワー（Ｒｅｆｅｒｅｎｃｅ  Ｓｉｇｎａｌ  Ｒｅｃｅｉｖｅｄ  Ｐｏｗｅｒ、以下、ＲＳＲＰという）に基づいて計算され、ＵＭＴＳでは受信信号コードパワー（Ｒｅｃｅｉｖｅｄ  Ｓｉｇｎａｌ  Ｃｏｄｅ  Ｐｏｗｅｒ、以下、ＲＳＣＰという）に基づいて計算される。また、前記Ｓｑｕａｌ値は、ＬＴＥシステムでは基準信号受信品質（Ｒｅｆｅｒｅｎｃｅ  Ｓｉｇｎａｌ  Ｒｅｃｅｉｖｅｄ  Ｑｕａｌｉｔｙ、以下、ＲＳＲＱという）に基づいて計算され、ＵＭＴＳではＥｃ/Ｎｏという値に基づいて計算され、これはパイロットチャネルのチップ（ｃｈｉｐ）当たり受信パワー（Ｅｃ）を全体ノイズパワー密度（Ｎ０）で割った値である。
【００８９】
具体的に、ＬＴＥにおいて、Ｓｒｘｌｅｖはセル選択受信（ＲＸ）レベル値（ｄＢ）であり、Ｑｒｘｌｅｖｍｅａｓは測定されたセルの受信レベル（ＲＳＲＰ）であり、Ｑｒｘｌｅｖｍｉｎはセルでの最小必要受信レベル（ｄＢｍ）であり、ＱｒｘｌｅｖｍｉｎｏｆｆｓｅｔはＱｒｘｌｅｖｍｅａｓに対するオフセット（ｏｆｆｓｅｔ）であり、Ｐｃｏｍｐｅｎｓａｔｉｏｎ＝ｍａｘ（ＰＥＭＡＸ−ＰＵＭＡＸ、０）（ｄＢ）であり、ＰＥＭＡＸは端末が該当セルで送信してもよい最大送信電力（ｄＢｍ）であり、ＰＵＭＡＸは端末の性能による端末無線送信部（ＲＦ）の最大送信電力（ｄＢｍ）である。また、ＬＴＥにおいて、前記Ｓｑｕａｌはセル選択品質値（ｄＢ）であり、ＱｑｕａｌｍｅａｓはＲＳＲＱを意味し、Ｑｑｕａｌｍｉｎはセル内で要求される最小品質レベル（ｄＢ）を意味し、ＱｑｕａｌｍｉｎｏｆｆｓｅｔはＱｑｕａｌｍｉｎに対するオフセット値である。
【００９０】
前記数式１及び数式２において、端末は、測定した信号の強度と品質が、サービスを提供するセルが定めた特定値より大きいセルを選択するということを知ることができる。また、前記数式１及び数式２で使われるパラメータは、システム情報を介してブロードキャストされ、前記端末は、前記パラメータ値を受信してセル選択基準に使用する。
【００９１】
端末は、ネットワーク登録が必要な場合（Ｓ４３０）、ネットワーク登録手順を実行する（Ｓ４４０）。端末は、ネットワークからサービス（例、Ｐａｇｉｎｇ）を受けるために自分の情報（例：ＩＭＳＩ）を登録する。端末は、セルを選択するたびに接続するネットワークに登録するものではなく、システム情報から受けたネットワークの情報（例、Ｔｒａｃｋｉｎｇ  Ａｒｅａ  Ｉｄｅｎｔｉｔｙ；ＴＡＩ）と自分が知っているネットワークの情報が異なる場合にネットワークに登録する。
【００９２】
端末は、セルで提供されるサービス環境または端末の環境などに基づいてセル再選択を実行する（Ｓ４５０）。
【００９３】
例えば、端末は、現在接続したセルに対して測定した信号の強度や品質の値が、隣接セルの基地局から測定した値より低い場合、端末が接続したセルより良い信号特性を提供する他のセルの中から一つを再選択する。この過程を前記初期セル選択（Ｉｎｉｔｉａｌ  Ｃｅｌｌ  Ｓｅｌｅｃｔｉｏｎ）と区分してセル再選択（Ｃｅｌｌ  Ｒｅ−Ｓｅｌｅｃｔｉｏｎ）という。また、端末がセル選択過程を介してあるセルを選択した以後、端末の移動性または無線環境の変化などで端末と基地局との間の信号の強度や品質が変わることができる。したがって、もし、選択したセルの品質が低下される場合、端末は、より良い品質を提供する他のセルを再選択することができる。このようにセルを再選択する場合、一般的に現在選択されたセルより良い信号品質を提供するセルを再選択する。このとき、信号特性の変化によって頻繁にセルが再選択されることを防止するために、時間的な制約条件をおく。セル再選択手順に対して以後に詳述する。
【００９４】
前記のように、無線環境の信号特性によってセルを選択または再選択する方法があり、セル再選択において、再選択のためのセルを選択するとき、セルのＲＡＴと周波数（ｆｒｅｑｕｅｎｃｙ）特性によって下記のようなセル再選択方法がある。
【００９５】
−Ｉｎｔｅｒ−ＲＡＴセル再選択：端末がキャンプオン（ｃａｍｐ−ｏｎ）中であるＲＡＴと異なるＲＡＴを使用するセルを再選択
【００９６】
−Ｉｎｔｒａ−ｆｒｅｑｕｅｎｃｙセル再選択：端末がキャンプ（ｃａｍｐ）中であるセルと同じＲＡＴ及び同じ中心周波数（ｃｅｎｔｅｒ−ｆｒｅｑｕｅｎｃｙ）を有するセルを再選択
【００９７】
−Ｉｎｔｅｒ−ｆｒｅｑｕｅｎｃｙセル再選択：端末がキャンプ中であるセルと同じＲＡＴと異なる中心周波数を有するセルを再選択
【００９８】
まず、前記Ｉｎｔｅｒ−ＲＡＴセル再選択と前記Ｉｎｔｒａ−ｆｒｅｑｕｅｎｃｙセル再選択は、優先順位に基づいて行われる。ネットワークは、ブロードキャストシグナリング（ｂｒｏａｄｃａｓｔ  ｓｉｎｇｌｉｎｇ）を介してセル内の端末が共通的に適用するまたはＲＡＴ間（Ｉｎｔｅｒ−ＲＡＴ）優先順位と周波数優先順位を提供し、または端末別シグナリング（ｄｅｄｉｃａｔｅｄ  ｓｉｇｎａｌｉｎｇ）を介して端末別に各々異なるように提供することができる。
【００９９】
このような優先順位によると、もし、サービングセルより高い優先順位を有するＲＡＴと、そしてサービングセルより高い優先順位を有する周波数を使用する隣接セルが、数式１を満たす場合、前記端末は、隣接セルを再選択する。
【０１００】
しかし、サービングセルと隣接セルとの間の優先順位が同じ場合、ランキング（ｒａｎｋｉｎｇ）に基づいて行われる。また、Ｉｎｔｒａ−ｆｒｅｑｕｅｎｃｙセル再選択もランキング（ｒａｎｋｉｎｇ）に基づいて行われる。ランキングとは、セル再選択評価のための指標値を定義し、この指標値を利用してセルを指標値の大きさ順に順序を定める作業である。最も良い指標を有するセルを一般的にｂｅｓｔ  ｒａｎｋｅｄ  ｃｅｌｌという。セル指標値は、端末が該当セルに対して測定した値を基本にして、必要によって、周波数オフセットまたはセルオフセットを適用した値である。
【０１０１】
前記ランキングに対して説明すると、下記の通りである。ランキング指標（ｒａｎｋｉｎｇ  ｃｒｉｔｅｒｉｏｎ）は、数式３のように定義される。
【０１０２】
【数３】
2019047528.tif 000005
【０１０３】
ここで、Ｒｓはサービングセルのランキング指標であり、Ｒｎは隣接セルのランキング指標であり、Ｑｍｅａｓ、ｓは端末がサービングセルに対して測定した品質値であり、Ｑｍｅａｓ、ｎは端末が隣接セルに対して測定した品質値であり、Ｑｈｙｓｔはランキングのためのヒステリシス（ｈｙｓｔｅｒｅｓｉｓ）値であり、Ｑｏｆｆｓｅｔは二つのセル間のオフセットである。
【０１０４】
Ｉｎｔｒａ−ｆｒｅｑｕｅｎｃｙにおいて、端末がサービングセルと隣接セルとの間のオフセット（Ｑｏｆｆｓｅｔｓ、ｎ）を受信した場合はＱｏｆｆｓｅｔ＝Ｑｏｆｆｓｅｔｓ、ｎであり、端末がＱｏｆｆｓｅｔｓ、ｎを受信しない場合はＱｏｆｆｓｅｔ＝０である。
【０１０５】
サービングセルのランキング指標（Ｒｓ）と隣接セルのランキング指標（Ｒｎ）が互いに類似している状態で変動すると、変動結果、ランキング順位が頻繁に変わり、端末が二つのセルを交互に再選択することができる。Ｑｈｙｓｔは、セル再選択でヒステリシスを与え、端末が二つのセルを交互に再選択することを防止するためのパラメータである。
【０１０６】
端末は、前記数式によってサービングセルのＲｓ及び隣接セルのＲｎを測定し、ランキング指標値が最も大きい値を有するセルをｂｅｓｔ  ｒａｎｋｅｄセルと見なし、このセルを再選択する。
【０１０７】
図６は、図５に示すセル再選択過程を詳細に示す流れ図である。
【０１０８】
ＵＥ１００は、基地局からセル再選択情報を受信する（Ｓ４５１）。セル再選択情報は、２個の閾値、ＳｉｎｔｒａｓｅａｒｃｈとＳｎｏｎ−ｉｎｔｒａｓｅａｒｃｈを含むことができる。前記Ｓｉｎｔｒａｓｅａｒｃｈは、ＳｉｎｔｒａｓｅａｒｃｈＰとＳｉｎｔｒａｓｅａｒｃｈＱとに分けられる。ＳｉｎｔｒａｓｅａｒｃｈＰは、ｉｎｔｒａ−ｆｒｅｑｕｅｎｃｙ測定のためのＳｒｘｌｅｖの閾値であり、ｄＢで表現される。ＳｉｎｔｒａｓｅａｒｃｈＱは、ｉｎｔｒａ−ｆｒｅｑｕｅｎｃｙ測定のためのＳｑｕａｌの閾値であり、ｄＢで表現される。また、Ｓｎｏｎ−ｉｎｔｒａｓｅａｒｃｈは、Ｓｎｏｎ−ｉｎｔｒａｓｅｒａｃｈＰとＳｎｏｎ−ｉｎｔｒａｓｅｒａｃｈＱとに分けられる。Ｓｎｏｎ−ｉｎｔｒａｓｅｒａｃｈＰは、ｉｎｔｅｒ−ｆｒｅｑｕｅｎｃｙ及びｉｎｔｅｒ−ＲＡＴ測定のためのＳｒｘｌｅｖの閾値であり、ｄＢで表現される。また、Ｓｎｏｎ−ｉｎｔｒａｓｅｒａｃｈＱは、ｉｎｔｅｒ−ｆｒｅｑｕｅｎｃｙ及びｉｎｔｅｒ−ＲＡＴ測定のためのＳｑｕａｌの閾値であり、ｄＢで表現される。
【０１０９】
ＵＥは、サービングセルを測定する（Ｓ４５２）。サービングセルの測定結果は、数式１のようなＳｒｘｌｅｖまたはＳｑｕａｌが使われる。
【０１１０】
ＵＥは、サービングセルと同じ周波数上に存在する隣接セルを測定するための基準として以下の数式４のように比較を実行する（Ｓ４５３）。
【０１１１】
【数４】
2019047528.tif 000006
【０１１２】
もし、Ｓｒｘｌｅｖ＞ＳＩｎｔｒａＳｅａｒｃｈＰまたはＳｑｕａｌ＞ＳＩｎｔｒａＳｅａｒｃｈＱが満たされる場合、ＵＥは、サービングセルと同じ周波数上に存在する隣接セルに対する測定を実行する（Ｓ４５３−１）。しかし、Ｓｒｘｌｅｖ＞ＳＩｎｔｒａＳｅａｒｃｈＰまたはＳｑｕａｌ＞ＳＩｎｔｒａＳｅａｒｃｈＱが満たされない場合、ＵＥは、サービングセルと同じ周波数上に存在する隣接セルに対する測定を省略することができる。
【０１１３】
もし、セル再選択情報がＳｉｎｔｒａｓｅａｒｃｈを含まない場合、ＵＥは、サービングセルと同じ周波数の隣接セルに対する測定を省略することができない。
【０１１４】
一方、ＵＥは、サービングセルと異なる周波数上に存在する隣接セルを測定するための基準として以下の数式５のように比較を実行する（Ｓ４５４）。
【０１１５】
【数５】
2019047528.tif 000007
【０１１６】
もし、Ｓｒｘｌｅｖ＞Ｓｎｏｎ−ｉｎｔｒａｓｅｒａｃｈＰまたはＳｑｕａｌ＞Ｓｎｏｎ−ｉｎｔｒａｓｅｒａｃｈＱが満たされない場合、ＵＥは、ｉｎｔｅｒ−ｆｒｅｑｕｅｎｃｙ測定、即ち、サービングセルと異なる周波数上に存在するセルに対する測定を実行する（Ｓ４５４−１）。しかし、サービングセルの品質がより良くてＳｒｘｌｅｖ＞Ｓｎｏｎ−ｉｎｔｒａｓｅｒａｃｈＰまたはＳｑｕａｌ＞Ｓｎｏｎ−ｉｎｔｒａｓｅｒａｃｈＱが満たされる場合、ＵＥは、サービングセルと異なる周波数上に存在する隣接セルに対する測定を省略することができる。
【０１１７】
もし、セル再選択情報がＳｎｏｎ−ｉｎｔｒａｓｅａｒｃｈを含まない場合、ＵＥは、サービングセルと異なる周波数上に存在する隣接セルに対する測定を省略することができない。
【０１１８】
ＵＥ１００は、隣接セルｘに対する測定結果ＳｎｏｎＳｅｒｖｉｎｇＣｅｌｌ、ｘを算出する（Ｓ４５５）。
【０１１９】
次に、前記ＵＥ１００は、ＴｒｅｓｅｌｅｃｔｉｏｎＲＡＴという時間区間の間に、測定する周波数にあるセルｘのＳｎｏｎＳｅｒｖｉｎｇＣｅｌｌ、ｘ値がＴｈｒｅｓｈｘ、ｈｉｇｈ値より大きい時（Ｓ４５６）、該当セルを再選択する（Ｓ４５７）。前記ＳｎｏｎＳｅｒｖｉｎｇＣｅｌｌ、ｘは、測定する周波数にあるセルｘのＳｒｘｌｅｖ値またはＳｑｕａｌ値である。
【０１２０】
図７は、Ｉｎｔｅｒ−ＲＡＴセル再選択及びＩｎｔｅｒ−ｆｒｅｑｕｅｎｃｙセル再選択を実行する過程を示す例示的な流れ図である。
【０１２１】
図７を参照すると、ＬＴＥベースのｅＮｏｄｅＢ２００−１は、周波数Ｆ１を使用し、ＵＭＴＳベースのＮｏｄｅＢ２００−２は、周波数Ｆ２を使用すると示している。
【０１２２】
電源をオンにしたＵＥ１００は、初期セル選択過程を実行するようになり、まず、ＵＥ１００は、ｅＮｏｄｅＢ２００−１とＮｏｄｅＢ２００−２から同期信号、即ち、ＰＳＳ（Ｐｒｉｍａｒｙ  Ｓｙｎｃｈ  Ｓｉｇｎａｌ）、ＳＳＳ（Ｓｅｃｏｎｄａｒｙ  Ｓｙｎｃｈ  Ｓｉｇｎａｌ）を受信し、前記同期信号を介してセルＩＤを取得することによって、セルを識別することができる。
【０１２３】
次に、前記ＵＥ１００は、基準信号、例えば、ＣＲＳ（Ｃｅｌｌ−ｓｐｅｃｉｆｉｃ  Ｒｅｆｅｒｅｎｃｅ  Ｓｉｇｎａｌ）を介してセル測定を実行する。理解を容易にするためにＣＲＳに対して簡略に説明すると、次の通りである。ＣＲＳは、セル内の全てのＵＥが共有する基準信号であり、チャネル状態に対する情報取得及びハンドオーバ測定（ｍｅａｓｕｒｅｍｅｎｔ）などのために使われる。ＵＥは、ＣＲＳを測定してＲＳＲＰ（Ｒｅｆｅｒｅｎｃｅ  Ｓｉｇｎａｌ  Ｒｅｃｅｉｖｅｄ  Ｐｏｗｅｒ）及びＲＳＲＱ（Ｒｅｆｅｒｅｎｃｅ  Ｓｉｇｎａｌ  Ｒｅｃｅｉｖｅｄ  Ｑｕａｌｉｔｙ）を測定する。また、ＵＥは、ＣＲＳを介してＣＱＩ（ｃｈａｎｎｅｌ  ｑｕａｌｉｔｙ  ｉｎｆｏｒｍａｔｉｏｎ）、ＰＭＩ（ｐｅｃｏｄｉｎｇ  ｍａｔｒｉｘ  ｉｎｄｉｃａｔｏｒ）、ＲＩ（ｒａｎｋ  ｉｎｄｉｃａｔｏｒ）のようなフィードバック情報を算出することができる。
【０１２４】
そして、前記ＵＥ１００は、前述した内容によって初期セル選択を実行する（Ｓ４２０）。
【０１２５】
もし、前記ＵＥ１００がＬＴＥベースのｅＮｏｄｅＢ２００−１を選択した場合、前記ｅＮｏｄｅＢ２００−１のセルにキャンプオンする。
【０１２６】
それによって、図７において、前記ｅＮｏｄｅＢ２００−１は、サービングセルで表記された。次に、前記ＵＥ１００は、ＲＲＣ接続を確立し、前記サービングセルであるｅＮｏｄｅＢ２００−１からシステム情報、例えば、ＭＩＢ（Ｍａｓｔｅｒ  Ｉｎｆｏｒｍａｔｉｏｎ  Ｂｌｏｃｋ）及びＳＩＢ（ｓｙｓｔｅｍ  ｉｎｆｏｒｍａｔｉｏｎ  ｂｌｏｃｋ）を受信する。前記ＭＩＢは、ＰＢＣＨ（ｐｈｙｓｉｃａｌ  ｂｒｏａｄｃａｓｔ  ｃｈａｎｎｅｌ）を介して受信されることができ、前記ＳＩＢは、ＰＤＳＣＨ（Ｐｈｙｓｉｃａｌ  Ｄｏｗｎｌｉｎｋ  Ｓｈａｒｅｄ  Ｃｈａｎｎｅｌ）を介して受信されることができる。前記システム情報、例えば、ＳＩＢは、ＲＡＴ間（Ｉｎｔｅｒ−ＲＡＴ）優先順位と周波数優先順位を含むことができる。
【０１２７】
前記ＵＥ１００は、前記ＲＡＴ間（Ｉｎｔｅｒ−ＲＡＴ）優先順位と周波数優先順位によって、ＮｏｄｅＢ２００−２のセルの再選択を実行する（Ｓ４５０）。
【０１２８】
そして、前記ＵＥ１００は、前記ＮｏｄｅＢ２００−２のセルにキャンプオンし、ＲＲＣ接続を確立する。
【０１２９】
以下、ＭＴＣに対して説明する。
【０１３０】
図８は、ＭＴＣ（Ｍａｃｈｉｎｅ  Ｔｙｐｅ  ｃｏｍｍｕｎｉｃａｔｉｏｎ）通信の一例を示す。
【０１３１】
ＭＴＣ（Ｍａｃｈｉｎｅ  Ｔｙｐｅ  Ｃｏｍｍｕｎｉｃａｔｉｏｎ）は、人間間相互作用（ｈｕｍａｎ  ｉｎｔｅｒａｃｔｉｏｎ）を伴わないＭＴＣ機器１００間に基地局２００を介した情報交換またはＭＴＣ機器１００とＭＴＣサーバ７００との間に基地局を介した情報交換を意味する。
【０１３２】
ＭＴＣサーバ７００は、ＭＴＣ機器１００と通信するエンティティ（ｅｎｔｉｔｙ）である。ＭＴＣサーバ７００は、ＭＴＣアプリケーションを実行し、ＭＴＣ機器にＭＴＣ特定サービスを提供する。
【０１３３】
ＭＴＣ機器１００は、ＭＴＣ通信を提供する無線機器であり、固定されてもよく、移動性を有してもよい。
【０１３４】
ＭＴＣを介して提供されるサービスは、既存の人間が介入する通信でのサービスとは差別性を有し、追跡（Ｔｒａｃｋｉｎｇ）、計量（Ｍｅｔｅｒｉｎｇ）、支払（Ｐａｙｍｅｎｔ）、医療分野サービス、遠隔調整など、多様な範ちゅうのサービスが存在する。より具体的に、ＭＴＣを介して提供されるサービスは、メーター検針、水位測定、監視カメラの活用、自販機の在庫報告などがある。
【０１３５】
ＭＴＣ機器の特異性は、送信データ量が少なく、アップリンク/ダウンリンクのデータ送受信がたまに発生するため、このような低いデータ送信率に応じてＭＴＣ機器の単価を低くし、バッテリ消耗を減らすことが効率的である。
【０１３６】
以下、ＭＴＣ機器の種類による特性を整理すると、以下の表の通りである。
【０１３７】
【表１】
2019047528.tif 000008
【０１３８】
以上で説明した通り、ＭＴＣ機器は、一般的なＵＥとは異なるように広範囲なサービスを要求するものではなく、非常に少ない数の特殊サービスのみを要求する特徴がある。したがって、ＭＴＣ機器は、低い水準の品質のサービスを提供することができる程度のセルにのみキャンプオンすると十分であるため、セル再選択手順を実行する回数が多い必要がない。
【０１３９】
＜本明細書の一実施例による方案＞
【０１４０】
本明細書で提示される一開示は、予め指定されたサービスのみを要求する機器、例えば、ＭＴＣ機器がセル選択手順及び再選択手順を実行する回数を効率化するための方案を提示する。このとき、セル選択手順及びセル再選択手順は、予め決定された閾値及びセルから受信される信号のパワー強度のようなパラメータを比較することに基づいて実行される。したがって、本明細書の一実施例は、セル選択及びセル再選択のための評価に使われるパラメータをカテゴリ別（ｃａｔｅｇｏｒｙ−ｓｐｅｃｉｆｉｃ）に異なるように提供する。
【０１４１】
ここで、前記カテゴリとは、遅延許容度（ｄｅｌａｙ  ｔｏｌｅｒａｎｃｅ）、即ち、遅延にどれくらい敏感であるかによって分類される体系である。
【０１４２】
例えば、カテゴリは、下記のように分けられる。
【０１４３】
カテゴリを区分するために多様な基準が使われることができる。
【０１４４】
ａ）端末が開始しようとするサービスの遅延敏感度によって、カテゴリを区分することができる。例えば、互いに異なるサービス遅延敏感度を要求する場合、互いに異なるカテゴリとして分類されることができる。
【０１４５】
ｂ）端末が開始しようとするサービスのエラー率要求事項によって、カテゴリを区分することができる。例えば、互いに異なるエラー率を要求する場合、互いに異なるカテゴリとして分類されることができる。
【０１４６】
ｃ）端末が開始しようとするサービスのデータ処理（ｄａｔａ  ｒａｔｅ）要求事項によって、カテゴリを区分することができる。例えば、互いに異なるｍｉｎｉｍｕｍ  ｄａｔａ  ｒａｔｅを要求する場合、互いに異なるカテゴリとして分類されることができる。
【０１４７】
ｄ）端末が要求する運用電力効率性要求事項によって、カテゴリを区分することができる。例えば、省電力モードで動作する場合とそうでない場合、互いに異なるカテゴリとして区分することができる。
【０１４８】
以下、具体的には図面を参照して説明する。
【０１４９】
図９ａ乃至図９ｃは、本明細書の一開示による方案を示す例示図である。
【０１５０】
まず、図９ａを参照して分かるように、基地局２００は、一般的なＵＥ１０とＭＴＣ機器１００に異なるパラメータを提供することができる。例えば、基地局２００は、一般的なＵＥ１０にはセル選択及びセル再選択手順で使われるセル共通パラメータを提供することができる。それに対し、ＭＴＣ機器１００にセル選択及びセル再選択手順で使われるカテゴリ特定パラメータを提供することができる。このようなカテゴリ特定パラメータに対する詳細な説明は後述する。
【０１５１】
図９ｂを参照して分かるように、前記ＭＴＣ機器１００は、セル選択手順がトリガされると、セルを検出した後、前記セルからブロードキャスト情報を取得する。前記ブロードキャスト情報は、前述した通り、セル選択及びセル再選択手順で使われるセル共通パラメータを含むことができる。また、前記カテゴリ特定パラメータが前記ブロードキャスト情報内に含まれていることもある。このとき、前記カテゴリ特定パラメータは、前記セル共通パラメータに対するオフセット値のみを含むことができる。その代案として、前記カテゴリ特定パラメータは、前記ブロードキャスト情報内に含まれて受信されずに、前記ＭＴＣ機器に予め設定されている、または他のネットワークシグナルを介して受信されることができる。
【０１５２】
次に、前記ＭＴＣ機器１００が特定カテゴリを使用するように設定されており、ひいては、前記特定カテゴリのためのパラメータを適用するように設定されているかどうかを判断する。そのために、ネットワークは、前記ＭＴＣ機器１００が前記カテゴリ特定パラメータを適用すべきことを知らせるシグナルを伝達することができる。このような場合、前記ＭＴＣ機器１００が前記シグナルを受信することができない場合、前記ＭＴＣ機器１００は、前記カテゴリ特定パラメータを適用しないと判断できる。それに対し、ネットワークは、前記ＭＴＣ機器１００が前記カテゴリ特定パラメータを適用してはならないことを知らせるシグナルを伝達することができる。このような場合、前記ＭＴＣ機器１００が前記シグナルを受信することができない場合、前記ＭＴＣ機器１００は、前記カテゴリ特定パラメータを適用しなければならないと判断できる。
【０１５３】
もし、前記ＭＴＣ機器１００が特定カテゴリを使用するように設定されており、ひいては、前記特定カテゴリのためのパラメータを適用するように設定されている場合、前記ＭＴＣ機器１００は、前記特定カテゴリのためのパラメータを適用してセル選択基準を評価する。
【０１５４】
それに対し、前記ＭＴＣ機器１００が特定カテゴリを使用するように設定されていない、または前記特定カテゴリのためのパラメータを適用するように設定されていない場合、前記ＭＴＣ機器１００は、前記セル共通パラメータを適用してセル選択基準を評価する。
【０１５５】
図９ｃを参照すると、前記ＭＴＣ機器１００がアイドル状態でセル再選択手順を開始する時、特定カテゴリのためのパラメータを適用すべきかどうかを判断する。そのために、ネットワークは、前記ＭＴＣ機器１００が前記カテゴリ特定パラメータを適用すべきことを知らせるシグナルを伝達することができる。このような場合、前記ＭＴＣ機器１００が前記シグナルを受信することができない場合、前記ＭＴＣ機器１００は、前記カテゴリ特定パラメータを適用しないと判断できる。それに対し、ネットワークは、前記ＭＴＣ機器１００が前記カテゴリ特定パラメータを適用してはならないことを知らせるシグナルを伝達することができる。このような場合、前記ＭＴＣ機器１００が前記シグナルを受信することができない場合、前記ＭＴＣ機器１００は、前記カテゴリ特定パラメータを適用しなければならないと判断できる。
【０１５６】
もし、前記ＭＴＣ機器１００が特定カテゴリを使用するように設定されており、ひいては、前記特定カテゴリのためのパラメータを適用するように設定されている場合、前記ＭＴＣ機器１００は、前記特定カテゴリのためのパラメータを適用してセル再選択基準を評価する。
【０１５７】
それに対し、前記ＭＴＣ機器１００が特定カテゴリを使用するように設定されていない、または、前記特定カテゴリのためのパラメータを適用するように設定されていない場合、前記ＭＴＣ機器１００は、前記セル共通パラメータを適用してセル再選択基準を評価する。
【０１５８】
以下、セル選択で使われる特定カテゴリのためのパラメータに対して説明する。
【０１５９】
まず、一実施例によると、セル選択基準として使われるパラメータであるＳｒｘｌｅｖとＳｑｕａｌは、特定カテゴリのために以下の数式のように改善されることができる。
【０１６０】
【数６】
2019047528.tif 000009
【０１６１】
前記数式６と数式２を比較すると、ＱｒｘｌｅｖｍｉｎがＱｒｘｌｅｖｍｉｎ＿ｃａｔｅｇｏｒｙに変更され、ＱｒｘｌｅｖｍｉｎがＱｒｘｌｅｖｍｉｎ＿ｃａｔｅｇｏｒｙに変更されたことを知ることができる。前記数式２を参考にして説明した通り、ＱｒｘｌｅｖｍｉｎとＱｒｘｌｅｖｍｉｎは、セル共通パラメータであって、システム情報を介してブロードキャストされる。しかし、Ｑｒｘｌｅｖｍｉｎ＿ｃａｔｅｇｏｒｙとＱｒｘｌｅｖｍｉｎ＿ｃａｔｅｇｏｒｙは、本明細書の一開示によって提供されるカテゴリ特定パラメータである。ここで、Ｑｒｘｌｅｖｍｉｎ＿ｃａｔｅｇｏｒｙの値は、セル選択の回数を減らすためにＱｒｘｌｅｖｍｉｎの値より小さく、また、Ｑｒｘｌｅｖｍｉｎ＿ｃａｔｅｇｏｒｙの値は、セル選択の回数を減らすためにＱｒｘｌｅｖｍｉｎの値より小さい。このようなＱｒｘｌｅｖｍｉｎ＿ｃａｔｅｇｏｒｙとＱｒｘｌｅｖｍｉｎ＿ｃａｔｅｇｏｒｙは、カテゴリ別にその値が異なることがある。このとき、セルは、Ｑｒｘｌｅｖｍｉｎ＿ｃａｔｅｇｏｒｙの値をカテゴリ別に異なるようにして提供することができる。同様に、セルは、Ｑｒｘｌｅｖｍｉｎ＿ｃａｔｅｇｏｒｙの値をカテゴリ別に異なるようにして提供することができる。その代案として、セルは、特定カテゴリ一つに対するＱｒｘｌｅｖｍｉｎ＿ｃａｔｅｇｏｒｙとＱｒｘｌｅｖｍｉｎ＿ｃａｔｅｇｏｒｙの値を提供することができる。このとき、他のカテゴリのためのＱｒｘｌｅｖｍｉｎ＿ｃａｔｅｇｏｒｙとＱｒｘｌｅｖｍｉｎ＿ｃａｔｅｇｏｒｙの値は、オフセット値で定義されることができる。このようなオフセット値は、ＭＴＣ機器がカテゴリ毎に予め有している値であり、または別途シグナルを介して前記ＭＴＣ機器が取得できる。
【０１６２】
次に、他の実施例によると、セル選択基準として使われるパラメータであるＳｒｘｌｅｖとＳｑｕａｌは、特定カテゴリのために以下の数式のように改善されることもできる。
【０１６３】
【数７】
2019047528.tif 000010
【０１６４】
前記数式７と数式２を比較すると、Ｑｒｘｔｈｒｅｓ＿ｃａｔｅｇｏｒｙとＱｑｕａｌｔｈｒｅｓ＿ｃａｔｅｇｏｒｙが各々追加されたことを知ることができる。前記Ｑｒｘｔｈｒｅｓ＿ｃａｔｅｇｏｒｙは、本明細書の他の実施例によって提供されるカテゴリ特定パラメータであり、カテゴリ別受信レベルの閾値である。このようなＱｒｘｔｈｒｅｓ＿ｃａｔｅｇｏｒｙが前記前記数式２に比較して追加された理由は、数式１に示すセル選択基準Ｓｒｘｌｅｖ＞０が可能な限り満たされるようにするためである。同様に、前記Ｑｒｘｔｈｒｅｓ＿ｃａｔｅｇｏｒｙが前記前記数式２に比較して追加された理由は、数式１に示すセル選択基準Ｓｑｕａｌ＞０が可能な限り満たされるようにするためである。一方、このようなＱｒｘｔｈｒｅｓ＿ｃａｔｅｇｏｒｙとＱｑｕａｌｔｈｒｅｓ＿ｃａｔｅｇｏｒｙは、カテゴリ別にその値が異なることがある。このとき、セルは、Ｑｒｘｔｈｒｅｓ＿ｃａｔｅｇｏｒｙとＱｑｕａｌｔｈｒｅｓ＿ｃａｔｅｇｏｒｙの値をカテゴリ別に異なるようにして提供することができる。その代案として、セルは、特定カテゴリ一つに対するＱｒｘｔｈｒｅｓ＿ｃａｔｅｇｏｒｙとＱｑｕａｌｔｈｒｅｓ＿ｃａｔｅｇｏｒｙの値を提供することができる。このとき、他のカテゴリのためのＱｒｘｔｈｒｅｓ＿ｃａｔｅｇｏｒｙとＱｑｕａｌｔｈｒｅｓ＿ｃａｔｅｇｏｒｙの値は、オフセット値で定義されることができる。このようなオフセット値は、ＭＴＣ機器がカテゴリ毎に予め有している値であり、または別途シグナルを介して前記ＭＴＣ機器が取得できる。
【０１６５】
一方、以下ではセル再選択で使われる特定カテゴリのためのパラメータに対して説明する。
【０１６６】
まず、一実施例によると、セル再選択のための測定の基準として使われるパラメータであるＳｒｘｌｅｖとＳｑｕａｌは、定カテゴリのために以下の数式のように改善されることができる。
【０１６７】
【数８】
2019047528.tif 000011
【０１６８】
前記数式８と数式４を比較すると、本明細書の一実施例によってＱｒｘｌｅｖｍｅａｓｏｆｆｓｅｔ＿ｃａｔｅｇｏｒｙとＱｑｕａｌｍｅａｓｏｆｆｅｓｔ＿ｃａｔｅｇｏｒｙが各々追加されたことを知ることができる。前記Ｑｒｘｌｅｖｍｅａｓｏｆｆｓｅｔ＿ｃａｔｅｇｏｒｙは、本明細書の一実施例によって提供されるカテゴリ特定パラメータとしてカテゴリ別受信レベルに対するオフセット値であり、カテゴリ別にその値が異なることがある。そして、前記Ｑｑｕａｌｍｅａｓｏｆｆｅｓｔ＿ｃａｔｅｇｏｒｙは、本明細書の一実施例によって提供されるカテゴリ特定パラメータとしてカテゴリ別品質値に対するオフセット値であり、カテゴリ別にその値が異なることがある。一方、セルは、Ｑｒｘｌｅｖｍｅａｓｏｆｆｓｅｔ＿ｃａｔｅｇｏｒｙとＱｑｕａｌｍｅａｓｏｆｆｅｓｔ＿ｃａｔｅｇｏｒｙの値をカテゴリ別に異なるようにして提供することができる。その代案として、セルは、特定カテゴリ一つに対するＱｒｘｌｅｖｍｅａｓｏｆｆｓｅｔ＿ｃａｔｅｇｏｒｙとＱｑｕａｌｍｅａｓｏｆｆｅｓｔ＿ｃａｔｅｇｏｒの値を提供することができる。このとき、他のカテゴリのためのＱｒｘｌｅｖｍｅａｓｏｆｆｓｅｔ＿ｃａｔｅｇｏｒｙとＱｑｕａｌｍｅａｓｏｆｆｅｓｔ＿ｃａｔｅｇｏｒｙの値は、デルタ値で定義されることができる。このようなデルタ値は、ＭＴＣ機器がカテゴリ毎に予め有している値であり、または別途シグナルを介して前記ＭＴＣ機器が取得できる。前記ＭＴＣ機器は、Ｓｒｘｌｅｖ＋Ｑｒｘｌｅｖｍｅａｓｏｆｆｓｅｔ＿ｃａｔｅｇｏｒｙ＞ＳＩｎｔｒａＳｅａｒｃｈＰを満たし、またはＳｑｕａｌ＋Ｑｑｕａｌｍｅａｓｏｆｆｅｓｔ＿ｃａｔｅｇｏｒｙ＞ＳＩｎｔｒａＳｅａｒｃｈＱを満たす場合、サービングセルが隣接セルより良いと判断し、ｉｎｔｅｒ−ｆｒｅｑｕｅｎｃｙセル再選択のための測定をしない、また、優先順位がより低いまたは同じｉｎｔｅｒ−ＲＡＴ  ｆｒｅｑｕｅｎｃｙセル再選択のための測定を実行しない。
【０１６９】
次に、サービングセルと隣接セルとの間の優先順位が同じ時、セル再選択のための基準として使われるランキング指標（ｒａｎｋｉｎｇ  ｃｒｉｔｅｒｉｏｎ）は、一実施例によると、以下の数式のように改善されることができる。
【０１７０】
【数９】
2019047528.tif 000012
【０１７１】
前記数式９と数式３を比較すると、本明細書の一実施例によってＱｃａｔｅｇｏｒｙがサービングセルのランキング指標であるＲｓにのみ追加されることを知ることができる。前記Ｑｃａｔｅｇｏｒｙは、カテゴリ別にその値が異なることがある。ここで、セルは、Ｑｃａｔｅｇｏｒｙの値をカテゴリ別に異なるようにして提供することができる。このような数式９によると、サービングセルのランキング指標、即ち、Ｒｓが隣接セルのランキング指標、即ち、Ｒｎに比べて高まるため、ＭＴＣ機器は、可能な限り長い間サービングセルにとどまることができるようになる。
【０１７２】
一方、前記数式９は、以下の数式のように変形されることができる。
【０１７３】
【数１０】
2019047528.tif 000013
【０１７４】
前記数式１０と前記数式１０を比較すると、隣接セルに対するランキング指標、即ち、ＲｎにもＱｃａｔｅｇｏｒｙ、ｎが追加される。
【０１７５】
他方、サービングセルより低い優先順位セルを再選択するための評価は、下記のように改善されることができる。
【０１７６】
もし、ＴｈｒｅｓｈＸ＿Ｑ（例えば、サービングセルに対してはＴｈｒｅｓｈＳｅｒｖｉｎｇ、ＬｏｗＱ）が受信される場合、サービングセルに対してＳｑｕａｌ＋Ｑｑａｕａｌｏｆｆｓｅｔ＿ｃａｔｅｇｏｒｙ＜ＴｈｒｅｓｈＳｅｒｖｉｎｇ、ＬｏｗＱが満たされ、優先順位が低い隣接セルに対してはＳｑｕａｌ＞ＴｈｒｅｓｈＸ、ＬｏｗＱが時間周期Ｔｒｅｓｅｌｅｃｔｉｏｎの間に満たされる場合、前記ＭＴＣ機器は、前記優先順位が低い隣接セルを再選択することができる。前記Ｑｑａｕａｌｏｆｆｓｅｔ＿ｃａｔｅｇｏｒｙは、本明細書の一実施例によって追加される受信レベルに対するオフセット値である。または、サービングセルに対してＳｒｘｌｅｖ＋Ｑｒｘｌｅｖｏｆｆｓｅｔ＿ｃａｔｅｇｏｒｙ＜ＴｈｒｅｓｈＳｅｒｖｉｎｇ、ＬｏｗＰが満たされ、優先順位が低い隣接セルに対してはＳｒｘｌｅｖ＞ＴｈｒｅｓｈＸ、ＬｏｗＰが時間周期Ｔｒｅｓｅｌｅｃｔｉｏｎの間に満たされる場合、前記ＭＴＣ機器は、前記優先順位が低い隣接セルを再選択することができる。前記Ｑｒｘｌｅｖｏｆｆｓｅｔ＿ｃａｔｅｇｏｒｙは、本明細書の一実施例によって追加される品質オフセット値である。
【０１７７】
以下、前述した方案の変形例に対して説明する。
【０１７８】
サービングセルと優先順位が異なる隣接セルに対してセル再選択のための評価を実行するにあたって、ネットワークは、絶対優先順位外にカテゴリ別優先順位をＭＴＣ機器に伝達できる。もし、前記カテゴリ別優先順位を受信する場合、前記ＭＴＣ機器は、セル評価及び測定のために前記カテゴリ別優先順位を使用することができる。それによって、前記ＭＴＣ機器は、特定カテゴリに対して一部周波数に対するセル再選択優先順位を再び定めることができる。一方、前記ＭＴＣ機器が特定状況によって前記カテゴリ別優先順位を使用してもよく、使用しなくてもよい。例えば、ＭＴＣ機器が、一般データの送受信が制限されている場合、前記ＭＴＣ機器は、ＬＴＥベースのセルより一般ＣＳベースのセルに移動することがより好ましい。このような状況で前記カテゴリ別優先順位を介してＣＳベースのセルの優先順位がより高まるようになって、それによって、前記ＭＴＣ機器は、前記ＣＳベースのセルを再選択することができるようになる。特定状況によってＭＴＣ機器がカテゴリ別優先順位を使用する他の方法として、カテゴリ別セル再選択優先順位セットが地域に関連されることを考慮することができる。この方法において、特定な地域で適用されるカテゴリ別優先順位情報が端末に予め格納されており、または別途にシグナリングされる。端末は、現在位置及びサービスカテゴリによって、セル再選択優先順位を選択的に適用する。例えば、地域Ａで適用可能なカテゴリａのセル再選択優先順位セットをＰ＿Ａａとし、同じ地域で適用可能なカテゴリｂのセル再選択優先順位セットをＰ＿Ａｂとする。また、地域Ｂで適用可能なカテゴリａのセル再選択優先順位セットをＰ＿Ｂａとし、同じ地域で適用可能なカテゴリｂのセル再選択優先順位セットをＰ＿Ｂｂとする。この設定に基づいて、端末は、地域Ａでカテゴリａに属するサービスを開始しようとすると、Ｐ＿Ａａを使用してセル再選択を実行し、地域Ｂでカテゴリｂに属するサービスを開始しようとすると、Ｐ＿Ｂｂを使用してセル再選択を実行する。
【０１７９】
図１０ａは、従来技術による動作を示し、図１０ｂは、一実施例の適用例を示す。
【０１８０】
図１０ａに示すＭＴＣ機器１００は、スマートメーターであって、基地局のセル２００からの信号強度が弱い場所、例えば、ビルディングの地下に設置されていると仮定する。このとき、前記ＭＴＣ機器１００がキャンプオンできるセルは、図示されたように、一つのみ存在すると仮定する。このとき、前記ＭＴＣ機器１００が測定した前記セルの信号強度は、−１１０ｄＢｍである。したがって、このような状況で前記セルから提供を受けるサービスは、非常に劣悪（例えば、高い遅延及び高いエラー率）であるということができ、一般的なＵＥの場合、サービスが不可能であると判断できる。しかし、図１０ｂのように、前記ＭＴＣ機器１００が本明細書の一実施例によってカテゴリ別パラメータ、Ｑｒｘｌｅｖｍｉｎ＿ｃａｔｅｇｏｒｙを適用する場合、前記ＭＴＣ機器１００は、高いデータ送信速度を要求しないため、データエラー率と遅延が多少高くても、前記セルからサービスの提供を受けることができると判断できる。
【０１８１】
図１１ａは、従来技術による他の動作を示し、図１１ｂ一実施例の適用例を示す。
【０１８２】
ＬＴＥベースの一般的なＵＥは、サービングセルの受信信号強度（または、品質）が特定閾値以下になる時、隣接セル測定を実行する。図１１ａを参照すると、サービングセルに該当するセル１の受信信号強度（または、品質）が特定閾値以下になる時、前記ＭＴＣ機器１００は、セル２を測定し、それによって、セル２を再選択する。しかし、図１１ｂを参照すると、本明細書の一実施例によってカテゴリ別オフセットを適用する場合、隣接セルであるセル２に対する測定を実行せず、それによって、セル２を再選択しない。このように、本明細書の一実施例によると、測定の回数を減らしてバッテリ節約効果を極大化し、また、セル再選択の回数を減らすことによって、ＭＴＣ機器がサービングセルに可能な限り長い間とどまることができるようにする。
【０１８３】
以上で説明した実施例は、多様な手段を介して具現されることができる。例えば、本発明の実施例は、ハードウェア、ファームウェア（ｆｉｒｍｗａｒｅ）、ソフトウェアまたはそれらの結合などにより具現されることができる。具体的には、図１２を参照して説明する。
【０１８４】
図１２は、本発明の実施例が具現される無線通信システムを示すブロック図である。
【０１８５】
基地局２００は、プロセッサ（ｐｒｏｃｅｓｓｏｒ）２０１、メモリ（ｍｅｍｏｒｙ）２０２及びＲＦ部（ＲＦ（ｒａｄｉｏ  ｆｒｅｑｕｅｎｃｙ）ｕｎｉｔ）２０３を含む。メモリ２０２は、プロセッサ２０１と連結され、プロセッサ２０１を駆動するための多様な情報を格納する。ＲＦ部２０３は、プロセッサ２０１と連結され、無線信号を送信及び/または受信する。プロセッサ２０１は、提案された機能、過程及び/または方法を具現する。前述した実施例において、基地局の動作は、プロセッサ２０１により具現されることができる。
【０１８６】
ＭＴＣ機器１００は、プロセッサ１０１、メモリ１０２及びＲＦ部１０３を含む。メモリ１０２は、プロセッサ１０１と連結され、プロセッサ１０１を駆動するための多様な情報を格納する。ＲＦ部１０３は、プロセッサ１０１と連結され、無線信号を送信及び/または受信する。プロセッサ１０１は、提案された機能、過程及び/または方法を具現する。前述した実施例において、ＭＴＣ機器の動作は、プロセッサ１０１により具現されることができる。
【０１８７】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び/またはデータ処理装置を含むことができる。メモリは、ＲＯＭ（ｒｅａｄ−ｏｎｌｙ  ｍｅｍｏｒｙ）、ＲＡＭ（ｒａｎｄｏ  ｍａｃｃｅｓｓ  ｍｅｍｏｒｙ）、フラッシュメモリ、メモリカード、格納媒体及び/または他の格納装置を含むことができる。ＲＦ部は、無線信号を処理するためのベースバンド回路を含むことができる。実施例がソフトウェアで具現される時、前述した技法は、前述した機能を遂行するモジュール（過程、機能など）で具現されることができる。モジュールは、メモリに格納され、プロセッサにより実行されることができる。メモリは、プロセッサの内部または外部にあり、よく知られた多様な手段によりプロセッサと連結されることができる。
【０１８８】
前述した例示的なシステムにおいて、方法は、一連のステップまたはブロックで順序図に基づいて説明されているが、本発明は、ステップの順序に限定されるものではなく、あるステップは、前述と異なるステップと、異なる順序にまたは同時に発生できる。また、当業者であれば、順序図に示すステップが排他的でなく、他のステップが含まれ、または順序図の一つまたはそれ以上のステップが本発明の範囲に影響を及ぼさずに削除可能であることを理解することができる。
【図１】
2019047528.tif 000014
【図２】
2019047528.tif 000015
【図３】
2019047528.tif 000016
【図４】
2019047528.tif 000017
【図５】
2019047528.tif 000018
【図６】
2019047528.tif 000019
【図７】
2019047528.tif 000020
【図８】
2019047528.tif 000021
【図９ａ】
2019047528.tif 000022
【図９ｂ】
2019047528.tif 000023
【図９ｃ】
2019047528.tif 000024
【図１０ａ】
2019047528.tif 000025
【図１０ｂ】
2019047528.tif 000026
【図１１ａ】
2019047528.tif 000027
【図１１ｂ】
2019047528.tif 000028
【図１２】
2019047528.tif 000029